(57)【特許請求の範囲】
【請求項１】
熱源水を貯留する熱源水タンクと、熱源水を加熱する熱源装置と、前記熱源水タンクに熱源水を給水する給水手段と、前記熱源装置にて加熱された熱源水及び前記熱源水タンクに貯留された熱源水を循環させる熱源水循環路と、前記熱源水循環路に接続されて、給湯運転及び前記熱源水循環路から取り込んだ熱源水が有する熱を蓄熱槽に蓄熱する蓄熱運転を実行可能な蓄熱式給湯装置の複数とを設けている熱源水供給システムであって、
前記蓄熱式給湯装置は、取り込む熱源水温度が蓄熱用設定温度以上のときに前記蓄熱運転を行い、且つ、前記給湯運転として、前記蓄熱槽に蓄熱した熱にて加熱した温水を給湯する蓄熱利用給湯運転と前記熱源水循環路から取り込んだ熱源水を給湯する熱源水利用給湯運転とを実行可能に構成され、
前記蓄熱式給湯装置が取り込む熱源水温度が前記蓄熱用設定温度以上の高温加熱用設定温度となるように前記熱源装置にて熱源水を加熱する高温加熱運転と、前記蓄熱式給湯装置が取り込む熱源水温度が前記蓄熱用設定温度未満の低温加熱用設定温度となるように前記熱源装置にて熱源水を加熱する低温加熱運転とに切換自在な運転制御手段を設けている熱源水供給システム。
【請求項２】
前記熱源装置は、熱供給装置の排熱を搬送する排熱搬送流体と前記熱源水とを熱交換させる排熱熱交換器を備え、
前記排熱熱交換器に供給する排熱搬送流体の入口温度及び前記排熱熱交換器を通過した排熱搬送流体の出口温度を制御自在な出入口温度制御手段を設け、
前記運転制御手段は、前記高温加熱運転では前記入口温度が高温用入口温度に且つ前記出口温度が高温用出口温度になるように前記出入口温度制御手段を作動させ、前記低温加熱運転では前記入口温度が前記高温用入口温度よりも低温の低温用入口温度に且つ前記出口温度が前記高温用出口温度よりも低温の低温用出口温度になるように前記出入口温度制御手段を作動させるように構成されている請求項１に記載の熱源水供給システム。
【請求項３】
前記運転制御手段は、前記熱源水タンクへ給水する熱源水の給水温度が設定給水温度未満であると前記高温加熱運転を行い、前記給水温度が前記設定給水温度以上であると前記低温加熱運転を行うように構成されている請求項１又は２に記載の熱源水供給システム。
【請求項４】
前記運転制御手段は、前記熱源水タンクに給水される熱源水の設定周期での給水積算量が設定積算量よりも少ないときに、前記低温加熱運転を行うように構成されている請求項１〜３の何れか１項に記載の熱源水供給システム。
【請求項５】
前記給水手段にて給水される熱源水を凝縮器の放熱対象とするヒートポンプ装置を設け、
前記熱源水循環路が、前記凝縮器にて加熱された熱源水を循環するように構成され、
前記運転制御手段は、前記熱源水タンクへの熱源水の供給流量が作動開始用流量以上となると前記ヒートポンプ装置を作動させ、前記熱源水タンクへの熱源水の供給流量が前記作動開始用供給量よりも少ない作動停止用流量になると前記ヒートポンプ装置の作動を停止するように構成されている請求項１〜４の何れか１項に記載の熱源水供給システム。
【請求項６】
前記熱源水循環路にて循環される熱源水を加熱する補助加熱装置を設け、
前記運転制御手段は、前記蓄熱式給湯装置の熱負荷が小さいときには、前記補助加熱装置よりも前記熱源装置及び前記ヒートポンプ装置を優先して作動させ、前記蓄熱式給湯装置の熱負荷が大きいときには、前記蓄熱式給湯装置が取り込む熱源水温度が設定下限温度となる前に前記補助加熱装置を作動させるように構成されている請求項５に記載の熱源水供給システム。
【発明の詳細な説明】
【技術分野】
【０００１】
本発明は、熱源水を貯留する熱源水タンクと、熱源水を加熱する熱源装置と、前記熱源水タンクに熱源水を給水する給水手段と、前記熱源装置にて加熱された熱源水及び前記熱源水タンクに貯留された熱源水を循環させる熱源水循環路と、前記熱源水循環路に接続されて、給湯運転及び前記熱源水循環路から取り込んだ熱源水が有する熱を蓄熱槽に蓄熱する蓄熱運転を実行可能な蓄熱式給湯装置の複数とを設けている熱源水供給システムに関する。
【背景技術】
【０００２】
上記のような熱源水供給システムは、例えば、熱需要家である各家庭にて給湯を行うに当り、複数の家庭をある一つの地域とし、その一つの地域に対して熱源装置としてのコージェネレーション設備等を設け、コージェネレーション設備が発生する熱を複数の家庭の共用の熱源とすることにより、トータルとしてエネルギー効率の向上を図るものである。
【０００３】
このような熱源水供給システムでは、複数の蓄熱式給湯装置が接続された熱源水循環路にて熱源水を循環することにより、複数の蓄熱式給湯装置の夫々が熱源水循環路から熱源水を取り込み可能としている。各蓄熱式給湯装置では、蓄熱運転により熱源水循環路から取り込んだ熱源水を用いて蓄熱槽に蓄熱したり、給湯運転により蓄熱槽に蓄熱された熱や熱源水循環路から取り込んだ熱源水を用いて給湯するようにしている（例えば、特許文献１参照。）。
この特許文献１に記載の熱源水供給システムでは、蓄熱式給湯装置が、蓄熱運転として、熱源水循環路から取り込んだ熱源水を蓄熱槽に貯留するようにしており、給湯運転として、蓄熱槽に貯留している熱源水を給湯する熱源水利用給湯運転を行うようにしている。
【０００４】
【特許文献１】特開２００６−２５０４００号公報
【発明の開示】
【発明が解決しようとする課題】
【０００５】
上記特許文献１に記載の熱源水供給システムでは、給湯運転として熱源水利用給湯運転を行うだけであるが、従来、給湯運転として、熱源水利用給湯運転だけでなく、蓄熱利用給湯運転を行えるものもある。この従来の熱源水供給システムでは、蓄熱式給湯装置が、蓄熱槽に貯留している蓄熱水と熱源水との熱交換により蓄熱運転を行い、蓄熱槽に貯留している蓄熱水にて給湯用の水を加熱して温水としその温水を給湯することにより蓄熱利用給湯運転を行うようにしている。このように、給湯運転として、蓄熱利用給湯運転と熱源水利用給湯運転とを共に実行可能とすることにより、蓄熱槽に蓄熱した熱にて給湯できるときには蓄熱利用給湯運転を行い、蓄熱槽に蓄熱した熱にて給湯できなくなると熱源水利用給湯運転を行うことができる。これにより、蓄熱槽に蓄熱した熱を有効に活用しながら、適切な給湯を行うことができ、エネルギー効率の向上を図ることができる。
【０００６】
熱源水タンクで雑菌（例えば、レジオネラ菌）が繁殖すると、熱源水利用給湯運転が行われることによって、雑菌が繁殖した熱源水が給湯されることになる。そこで、熱源水タンクでの雑菌の繁殖を防止するために、例えば１日に１回程度、熱源水タンクの熱源水を入れ替える必要がある。
熱源水利用給湯運転では、熱源水循環路の熱源水が給湯されるので、熱源水タンクから熱源水循環路に熱源水が供給される。それに伴い、給水手段から熱源水タンクに熱源水が給水され、熱源水タンクの熱源水が入れ替わる。それに対して、蓄熱利用給湯運転では、給湯用の水を加熱した温水を給湯するので、熱源水タンクから熱源水循環路に熱源水が供給されることはなく、熱源水タンクの熱源水は入れ替わらない。
【０００７】
上記従来の熱源水供給システムでは、給湯運転として蓄熱利用給湯運転だけが行われ、熱源水タンクの熱源水が入れ替わらず、熱源水タンクで雑菌が繁殖する虞がある。
例えば、冬期には、蓄熱式給湯装置の熱負荷が大きく、蓄熱運転によって蓄熱槽に蓄熱した熱だけでその熱負荷を賄うことができない。したがって、給湯運転として、蓄熱利用給湯運転だけでなく、熱源水利用給湯運転も行われることなり、熱源水タンクの熱源水が入れ替わる。それに対して、夏期には、蓄熱式給湯装置の熱負荷が小さく、蓄熱運転によって蓄熱槽に蓄熱した熱だけでその熱負荷を賄うことができることがある。したがって、給湯運転として、蓄熱利用給湯運転だけが行われ、熱源水利用給湯運転が行われずに、熱源水タンクの熱源水が入れ替わらない虞がある。
【０００８】
本発明は、かかる点に着目してなされたものであり、その目的は、例えば、夏期においても熱源水の入れ替わりが起こり熱源水タンクでの雑菌の繁殖を防止できながら、エネルギー効率の向上を図ることができる熱源水供給システムを提供する点にある。
【課題を解決するための手段】
【０００９】
この目的を達成するために、本発明に係る熱源水供給システムの特徴構成は、熱源水を貯留する熱源水タンクと、熱源水を加熱する熱源装置と、前記熱源水タンクに熱源水を給水する給水手段と、前記熱源装置にて加熱された熱源水及び前記熱源水タンクに貯留された熱源水を循環させる熱源水循環路と、前記熱源水循環路に接続されて、給湯運転及び前記熱源水循環路から取り込んだ熱源水が有する熱を蓄熱槽に蓄熱する蓄熱運転を実行可能な蓄熱式給湯装置の複数とを設けている熱源水供給システムであって、前記蓄熱式給湯装置は、取り込む熱源水温度が蓄熱用設定温度以上のときに前記蓄熱運転を行い、且つ、前記給湯運転として、前記蓄熱槽に蓄熱した熱にて加熱した温水を給湯する蓄熱利用給湯運転と前記熱源水循環路から取り込んだ熱源水を給湯する熱源水利用給湯運転とを実行可能に構成され、前記蓄熱式給湯装置が取り込む熱源水温度が前記蓄熱用設定温度以上の高温加熱用設定温度となるように前記熱源装置にて熱源水を加熱する高温加熱運転と、前記蓄熱式給湯装置が取り込む熱源水温度が前記蓄熱用設定温度未満の低温加熱用設定温度となるように前記熱源装置にて熱源水を加熱する低温加熱運転とに切換自在な運転制御手段を設けている点にある。
【００１０】
本特徴構成では、蓄熱式給湯装置が、蓄熱利用給湯運転と熱源水利用給湯運転とを実行可能であるので、蓄熱槽に蓄熱した熱にて給湯できるときには蓄熱利用給湯運転を行い、蓄熱槽に蓄熱した熱にて給湯できなくなると熱源水利用給湯運転を行うことができる。これにより、蓄熱槽に蓄熱した熱を有効に活用しながら、適切な給湯を行うことができ、エネルギー効率の向上を図ることができる。
運転制御手段が高温加熱運転を行うことにより、蓄熱式給湯装置が取り込む熱源水温度が蓄熱用設定温度以上の高温加熱用設定温度となる。これにより、蓄熱式給湯装置が取り込む熱源水の温度条件として、蓄熱運転を実行するための温度条件を満足することになり、蓄熱運転の実行を促進できる。よって、蓄熱槽への蓄熱を積極的に行い、その蓄熱した熱を利用することによって、効率よく熱を利用できながら、大きな熱負荷にも対応することができる。逆に、運転制御手段が低温加熱運転を行うことにより、蓄熱式給湯装置が取り込む熱源水温度が蓄熱用設定温度未満の低温加熱用設定温度となる。これにより、蓄熱式給湯装置が取り込む熱源水の温度条件として、蓄熱運転を実行するための温度条件を満たさず、蓄熱運転の実行を抑制できる。よって、蓄熱槽にあらたに蓄熱されず、給湯運転として熱源水利用給湯運転の実行を促進することができ、熱源水利用給湯運転の実行により熱源水タンクの熱源水の入れ替えを行える。
以上のことから、運転制御手段が、高温加熱運転と低温加熱運転とを切り換えることによって、熱源水タンクでの雑菌の繁殖を防止できながら、エネルギー効率の向上を実現できる。
【００１１】
本発明に係る熱源水供給システムの更なる特徴構成は、前記熱源装置は、熱供給装置の排熱を搬送する排熱搬送流体と前記熱源水とを熱交換させる排熱熱交換器を備え、前記排熱熱交換器に供給する排熱搬送流体の入口温度及び前記排熱熱交換器を通過した排熱搬送流体の出口温度を制御自在な出入口温度制御手段を設け、前記運転制御手段は、前記高温加熱運転では前記入口温度が高温用入口温度に且つ前記出口温度が高温用出口温度になるように前記出入口温度制御手段を作動させ、前記低温加熱運転では前記入口温度が前記高温用入口温度よりも低温の低温用入口温度に且つ前記出口温度が前記高温用出口温度よりも低温の低温用出口温度になるように前記出入口温度制御手段を作動させるように構成されている点にある。
【００１２】
本特徴構成では、高温加熱運転において、入口温度が高温用入口温度に制御され且つ出口温度が高温出口温度に制御されるので、排熱熱交換器において排熱搬送流体にて熱源水を高温加熱用温度に加熱できる。また、低温加熱運転においても、入口温度が低温用入口温度に制御され且つ出口温度が低温用出口温度に制御されるので、排熱熱交換器において排熱搬送流体にて熱源水を低温加熱用温度に加熱できる。これにより、高温加熱運転及び低温加熱運転の双方において、熱源装置にて熱源水を目標とする温度に加熱することでき、適正な運転を行うことができる。しかも、高温加熱運転と低温加熱運転とに切り換えるに当り、単に、入口温度及び出口温度を高温用と低温用とに切り換えるだけでよく、構成の簡素化を図ることができる。
【００１３】
本発明に係る熱源水供給システムの更なる特徴構成は、前記運転制御手段は、前記熱源水タンクへ給水する熱源水の給水温度が設定給水温度未満であると前記高温加熱運転を行い、前記給水温度が前記設定給水温度以上であると前記低温加熱運転を行うように構成されている点にある。
【００１４】
熱源水タンクへ給水する熱源水の給水温度は外気温度に応じて変化する。給水温度が設定給水温度未満であると例えば冬期と判断でき、逆に給水温度が設定給水温度以上であると例えば夏期と判断できる。そこで、本特徴構成では、運転制御手段が、給水温度が設定給水温度未満であるか又は設定給水温度以上であるかによって、高温加熱運転と低温加熱運転とを切り換えることによって、蓄熱式給湯装置の熱負荷の大きい冬期には高温加熱運転を行うことができ、蓄熱式給湯装置の熱負荷の小さい夏期には低温加熱運転を行うことができる。これにより、蓄熱式給湯装置の熱負荷の大小に応じて高温加熱運転と低温加熱運転とを適切に切り換えることができる。
【００１５】
本発明に係る熱源水供給システムの更なる特徴構成は、前記運転制御手段は、前記熱源水タンクに給水される熱源水の設定周期での給水積算量が設定積算量よりも少ないときに、前記低温加熱運転を行うように構成されている点にある。
【００１６】
設定周期での給水積算量が設定積算量よりも少ないときには、熱源水タンクの熱源水が入れ替わっていないと判断できる。そこで、本特徴構成では、このようなときに、運転制御装置が低温加熱運転を行うことによって、熱源水タンクの熱源水の入れ替えを適切に行え、雑菌の繁殖を確実に防止できる。
【００１７】
本発明に係る熱源水供給システムの更なる特徴構成は、前記給水手段にて給水される熱源水を凝縮器の放熱対象とするヒートポンプ装置を設け、前記熱源水循環路が、前記凝縮器にて加熱された熱源水を循環するように構成され、前記運転制御手段は、前記熱源水タンクへの熱源水の供給流量が作動開始用流量以上となると前記ヒートポンプ装置を作動させ、前記熱源水タンクへの熱源水の供給流量が前記作動開始用供給量よりも少ない作動停止用流量になると前記ヒートポンプ装置の作動を停止するように構成されている点にある。
【００１８】
本特徴構成では、ヒートポンプ装置の凝縮器において熱源水を加熱するに当り、給水手段による熱源水を凝縮器に供給するので、凝縮器に供給される熱源水の温度を低く抑えることができる。これにより、高い成績係数（ＣＯＰ）でヒートポンプ装置を作動させることができながら、熱源水を加熱することができ、エネルギー効率の向上を図ることができる。しかも、運転制御手段は、熱源水タンクへの熱源水の供給流量が作動開始用流量以上となったときにヒートポンプ装置を作動させるので、熱源水の加熱を行いながら、熱源水タンクへの熱源水の給水は維持することができ、熱源水タンクの熱源水が入れ替わるのを妨げない。
【００１９】
本発明に係る熱源水供給システムの更なる特徴構成は、前記熱源水循環路にて循環される熱源水を加熱する補助加熱装置を設け、前記運転制御手段は、前記複数の蓄熱式給湯装置の熱負荷が小さいときには、前記補助加熱装置よりも前記熱源装置及び前記ヒートポンプ装置を優先して作動させ、前記複数の蓄熱式給湯装置の熱負荷が大きいときには、前記蓄熱式給湯装置が取り込む熱源水温度が設定下限温度となる前に前記補助加熱装置を作動させるように構成されている点にある。
【００２０】
本特徴構成では、蓄熱式給湯装置の熱負荷が小さいときには、運転制御手段が補助加熱装置よりも熱源装置及びヒートポンプ装置を優先して作動させて、エネルギー効率の向上を図ることができる。蓄熱式給湯装置の熱負荷が大きいときには、熱源装置及びヒートポンプ装置を作動させるだけでは、その熱負荷を賄えなくなる虞がある。そこで、本特徴構成では、蓄熱式給湯装置の熱負荷が大きいときには、運転制御手段が、高温加熱運転及び低温加熱運転の夫々において蓄熱式給湯装置が取り込む熱源水温度が設定下限温度となる前に補助加熱装置を作動させることによって、補助加熱装置にて発生する熱を用いて蓄熱式給湯装置の熱負荷を賄うことができる。  よって、蓄熱式給湯装置の熱負荷を的確に賄うことができながら、エネルギー効率の向上を図ることができる。
【発明を実施するための最良の形態】
【００２１】
本発明に係る熱源水供給システムの実施形態を図面に基づいて説明する。
〔熱源水供給システムの全体構成〕
この熱源水供給システムは、図１に示すように、熱源水Ｎ１を貯留する熱源水タンク１（例えば、容量を３００リットルとする）と、熱源水Ｎ１を加熱する熱源装置２と、熱源水タンク１に熱源水Ｎ１を給水する給水手段３と、熱源水Ｎ１を循環させる熱源水循環路４と、熱源水循環路４に接続された蓄熱式給湯装置５の複数とを設けている。
この熱源水供給システムでは、熱源水循環路４により熱源水タンク１に貯留された熱源水Ｎ１及び熱源装置２にて加熱された熱源水Ｎ１を循環させて、複数の蓄熱式給湯装置５の夫々が熱源水循環路４から熱源水Ｎ１を取り込み可能としている。複数の蓄熱式給湯装置５の夫々は、取り込んだ熱源水Ｎ１を利用して給湯を行う。これにより、熱源水Ｎ１を共用の熱源として、エネルギー効率の向上を図りながら、複数の蓄熱式給湯装置５での給湯を実現可能としている。
【００２２】
〔熱源装置の構成〕
熱源装置２は、熱供給装置６の排熱を搬送する排熱搬送流体Ｎ２と熱源水Ｎ１とを熱交換させる排熱熱交換器７と、熱供給装置６の排熱を回収する排熱回収熱交換器８と排熱熱交換器７との間で排熱搬送流体Ｎ２を循環させる排熱搬送流体循環路９とを備えている。
【００２３】
熱供給装置６は、例えば、都市ガスを燃料とするガスエンジンや燃料電池（コージェネレーション設備としての一例）を備えた熱電併給装置である。熱供給装置６の冷却水Ｎ３を熱供給装置６と排熱回収熱交換器８との間で循環させる冷却水循環路１０が設けられている。排熱回収熱交換器８は、冷却水Ｎ３と排熱搬送流体Ｎ２とを熱交換させて熱供給装置６の排熱を回収する。冷却水循環路１０には、排熱回収熱交換器８をバイパスする冷却水バイパス路１１が設けられ、その冷却水バイパス路１１にラジエター１２が設けられている。冷却水循環路１０から冷却水バイパス路１１が分岐する分岐箇所には、排熱回収熱交換器８に供給する冷却水Ｎ３の流量とラジエター１２に供給する冷却水Ｎ３の流量との比率を調整自在な冷却水三方弁１３が設けられている。また、冷却水循環路１０には、熱供給装置６に戻す冷却水温度を検出する冷却水温度センサ１４及び冷却水循環ポンプ１５が設けられている。
【００２４】
排熱搬送流体循環路９には、排熱搬送流体Ｎ２の流れ方向において排熱回収熱交換器８から排熱熱交換器７に至る流路に、排熱搬送流体Ｎ２の流量を検出する排熱搬送流体流量センサ１６、排熱熱交換器７に供給する排熱搬送流体Ｎ２の流量を制御する排熱搬送流体制御弁１７、排熱熱交換器７に供給する排熱搬送流体Ｎ２の入口温度を検出する入口温度センサ１８が設けられている。排熱搬送流体Ｎ２の流れ方向において排熱熱交換器７から排熱回収熱交換器８に至る流路に、排熱熱交換器７を通過した排熱搬送流体Ｎ２の出口温度を検出する出口温度センサ１９、排熱搬送流体循環ポンプ２０が設けられている。
【００２５】
〔熱源水循環路の構成〕
熱源水循環路４は、排熱熱交換器７にて加熱した熱源水Ｎ１を複数の蓄熱式給湯装置５に供給する往路４ａと複数の蓄熱式給湯装置５を通過した熱源水Ｎ１を排熱熱交換器７に戻す復路４ｂとから構成されている。熱源水タンク１と排熱熱交換器７とは、往路４ａ及び復路４ｂの夫々に接続され、並列状態で設けられている。熱源水タンク１の上部は往路４ａに接続され且つ熱源水タンク１の下部は復路４ｂに接続されている。これにより、熱源水循環路４は、熱源水タンク１の下部から取り出した熱源水Ｎ１を排熱熱交換器７にて加熱し、その加熱した熱源水Ｎ１を熱源水タンク１の上部に戻す循環路としても作用するように構成されている。
【００２６】
熱源水循環路４の往路４ａには、熱源水Ｎ１の流れ方向において熱源水タンク１の上部との接続箇所よりも上流側に、熱源水温度を検出する第１熱源水温度センサ２１、熱源水Ｎ１の流量を検出する第１熱源水流量センサ２２が設けられている。熱源水Ｎ１の流れ方向において熱源水タンク１の上部との接続箇所よりも下流側の往路４ａには、熱源水供給ポンプ２３、熱源水Ｎ１の圧力を検出する第１圧力センサ２４、熱源水温度を検出する第２熱源水温度センサ２５、熱源水Ｎ１の流量を検出する第２熱源水流量センサ２６が設けられている。また、往路４ａには、複数の蓄熱式給湯装置５の夫々が熱源水Ｎ１を取り込むために熱源水Ｎ１の通流を遮断自在な開閉弁２７が各蓄熱式給湯装置５に対応して設けられている。
【００２７】
熱源水循環路４の復路４ｂには、熱源水Ｎ１の流れ方向において熱源水タンク１の下部との接続箇所よりも上流側に、熱源水Ｎ１の流量を検出する第３熱源水流量センサ２８、熱源水温度を検出する第３熱源水温度センサ２９、熱源水Ｎ１の圧力を検出する第２圧力センサ３０が設けられている。熱源水Ｎ１の流れ方向において熱源水タンク１の下部との接続箇所よりも下流側の復路４ｂには、熱源水温度を検出する第４熱源水温度センサ３１、熱源水循環ポンプ３２、排熱熱交換器７に供給する熱源水Ｎ１の流量を制御する熱源水制御弁３３が設けられている。
【００２８】
熱源水循環路４には、排熱熱交換器７に加えて、熱源水Ｎ１を加熱する補助加熱装置３４が設けられている。補助加熱装置３４は、排熱熱交換器７及び熱源水タンク１と並列状態となるように、復路４ｂと往路４ａとを接続する分岐循環路３５に設けられている。分岐循環路３５には、補助加熱装置３４への熱源水Ｎ１の供給を断続するともに、その供給量を制御する通流制御弁３６が設けられている。補助加熱装置３４は、例えば、ガスバーナを燃焼させて熱源水Ｎ１を加熱するように構成されている。
【００２９】
〔給水手段の構成〕
給水手段３は、熱源水タンク１に給水する熱源水（例えば、水）Ｎ１を貯留する給水タンク３７、給水タンク３７から熱源水タンク１の下部に熱源水Ｎ１を供給する給水路３８、及び、給水路３８に設けられた給水ポンプ３９から構成されている。給水路３８には、熱源水タンク１に給水する熱源水Ｎ１の給水温度を検出する給水温度センサ４０、熱源水タンク１に給水する熱源水の流量を検出する給水量センサ４１が設けられている。
給水路３８から分岐して熱源水循環路４の往路４ａに接続された分岐給水路４２が設けられている。分岐給水路４２には、分岐給水ポンプ４３が設けられ、分岐給水路４２を通流する熱源水Ｎ１を凝縮器４６の放熱対象とするヒートポンプ装置４４が設けられている。ヒートポンプ装置４４は、圧縮機４５、凝縮器４６、膨張弁４７、蒸発器４８の順に冷媒を循環させる冷媒回路４９を備えた圧縮式ヒートポンプ装置である。ヒートポンプ装置４４は、凝縮器４６において冷媒にて熱源水Ｎ１を加熱するように構成されている。
【００３０】
〔熱源水供給システムの制御構成〕
熱源水供給システムの運転を制御する運転制御手段としての運転制御装置５０が設けられている。運転制御装置５０は、熱供給装置６、冷却水三方弁１３、冷却水循環ポンプ１５、排熱搬送流体制御弁１７、排熱搬送流体循環ポンプ２０、熱源水供給ポンプ２３、熱源水循環ポンプ３２、熱源水制御弁３３、通流制御弁３６、給水ポンプ３９、分岐給水ポンプ４３、補助加熱装置３４、ヒートポンプ装置４４の夫々の作動を各別に制御するように構成されている。運転制御装置５０には、冷却水温度センサ１４、排熱搬送流体流量センサ１６、入口温度センサ１８、出口温度センサ１９、第１〜４熱源水温度センサ２１，２５，２９，３１、第１〜３熱源水流量センサ２２，２６，２８、第１、２圧力センサ２４，３０、給水温度センサ４０、給水量センサ４１の夫々の検出情報が入力されるように構成されている。
【００３１】
また、熱源水タンク１には、上部に貯留している熱源水温度を検出する上部温度センサ５１、中間部に貯留している熱源水温度を検出する中間部温度センサ５２、下部に貯留している熱源水温度を検出する下部温度センサ５３が設けられている。上部温度センサ５１、中間部温度センサ５２、下部温度センサ５３の夫々の検出情報も運転制御装置５０に入力させるように構成されている。
【００３２】
〔蓄熱式給湯装置の構成〕
図２に示すように、蓄熱式給湯装置５は、蓄熱水Ｎ４を貯留する蓄熱槽５４、熱源水循環路４から取り込んだ熱源水Ｎ１が有する熱を蓄熱槽５４に蓄熱するための蓄熱用熱交換器５５を備えている。
また、蓄熱式給湯装置５には、蓄熱槽５４の蓄熱水Ｎ４を上部から取り出して下部に戻す蓄熱水循環路５６が設けられている。蓄熱水循環路５６には、蓄熱水Ｎ４の流れ方向の上流側から、蓄熱水温度を検出する蓄熱水温度センサ５７、蓄熱水循環ポンプ５８、蓄熱用熱交換器５５が設けられている。さらに、蓄熱水Ｎ４の流れ方向において蓄熱用熱交換器５５の下流側の蓄熱水循環路５６には、給湯用熱交換器５９と放熱用熱交換器６０とが並列状態で設けられている。また、蓄熱水循環路５６には、蓄熱槽５４の下部に戻す蓄熱水Ｎ４を、蓄熱槽５４に戻さずに蓄熱水Ｎ４の流れ方向の蓄熱水循環ポンプ５８よりも上流側に供給する蓄熱水バイパス路６１が設けられている。蓄熱水バイパス路６１には、蓄熱水バイパス路６１に供給する蓄熱水Ｎ４の流量を制御する蓄熱水制御弁６２が設けられている。
【００３３】
給湯用熱交換器５９に給湯用の水Ｎ５を供給する給湯用水供給路６３、及び、給湯用熱交換器５９にて加熱された温水を給湯する給湯路６４が設けられている。給湯用熱交換器５９は、給湯用水供給路６３にて供給される給湯用の水Ｎ５と蓄熱水循環路５６にて供給される蓄熱水Ｎ４とを熱交換させるように構成されている。給湯用水供給路６３は、給水路３８から分岐されており、給水タンク３７に貯留されている水を供給するように構成されている（図１参照）。給湯路６４には、給湯する温水の流量を制御する給湯制御弁６５が設けられている。給湯用水供給路６３から分岐し給湯用熱交換器５９をバイパスして給湯路６４に接続された給湯バイパス路６６が設けられ、この給湯バイパス路６６には給湯用の水Ｎ５の流量を制御する給湯用水制御弁６７が設けられている。
放熱用熱交換器６０と熱消費端末６８との間で熱搬送流体Ｎ７を循環する熱搬送流体循環路６９が設けられている。放熱用熱交換器６０は、熱搬送流体循環路６９にて供給される熱搬送流体Ｎ７と蓄熱水循環路５６にて供給される蓄熱水Ｎ４とを熱交換させるように構成されている。ここで、熱消費端末６８は、例えば、床暖房装置であり、蓄熱水Ｎ４が有する熱を床暖房に用いるようにしている。
【００３４】
熱源水循環路４から熱源水Ｎ１を取り込んで蓄熱用熱交換器５５に供給する熱源水取り込み路７０、蓄熱用熱交換器５５を通過した熱源水Ｎ１を熱源水循環路４に戻す熱源水戻し路７１が設けられている。蓄熱用熱交換器５５は、蓄熱水循環路５６にて供給される蓄熱水Ｎ４と熱源水取り込み路７０にて供給される熱源水Ｎ１とを熱交換させるように構成されている。熱源水取り込み路７０から分岐し蓄熱用熱交換器５５をバイパスして熱源水戻し路７１に接続された熱源水バイパス路７２が設けられ、この熱源水バイパス路７２には熱源水Ｎ１の流量を制御する熱源水バイパス制御弁７３が設けられている。また、熱源水取り込み路７０において熱源水Ｎ１の流れ方向において蓄熱用熱交換器５５よりも上流側から分岐されて給湯路６４に接続され、熱源水Ｎ１を給湯する熱源水給湯路７４が設けられている。熱源水給湯路７４には、取り込んだ熱源水温度を検出する取り込み熱源水温度センサ７５、熱源水Ｎ１の給湯量を制御する熱源水給湯制御弁７６が設けられている。
【００３５】
蓄熱式給湯装置５の運転を制御する給湯制御装置７７が設けられている。給湯制御装置７７は、蓄熱水循環ポンプ５８、蓄熱水制御弁６２、給湯制御弁６５、給湯用水制御弁６７、熱源水バイパス制御弁７３、熱源水給湯制御弁７６の夫々の作動を各別に制御するように構成されている。蓄熱水温度センサ５７及び取り込み熱源水温度センサ７５の検出情報は給湯制御装置７７に入力させるように構成されている。
【００３６】
給湯制御装置７７は、熱源水循環路４から取り込んだ熱源水Ｎ１が有する熱を蓄熱槽５４に蓄熱する蓄熱運転、給湯路６４から温水を給湯する給湯運転、熱消費端末６８にて熱を消費する熱消費運転の夫々を実行可能に構成されている。
【００３７】
給湯制御装置７７は、蓄熱水温度センサ５７の検出温度が蓄熱開始用設定温度（例えば、５６℃）以下であり、且つ、取り込み熱源水温度センサ７５の検出温度が蓄熱用設定温度（例えば、６８℃）以上であると、蓄熱運転を行うように構成されている。蓄熱運転では、運転制御装置７７が、蓄熱水循環ポンプ５８を作動させるとともに、熱源水バイパス制御弁７３を閉作動させて、蓄熱用熱交換器５５に蓄熱水Ｎ４及び熱源水Ｎ１を供給する。これにより、蓄熱用熱交換器５５において蓄熱水Ｎ４を熱源水Ｎ１にて加熱して、その加熱された蓄熱水Ｎ４を蓄熱槽５４の下部に戻すことにより、熱源水Ｎ１が有する熱が蓄熱槽５４に蓄熱される。
【００３８】
給湯制御装置７７は、給湯運転として、蓄熱槽５４に蓄熱した熱にて加熱した温水を給湯する蓄熱利用給湯運転と熱源水循環路４から取り込んだ熱源水を給湯する熱源水利用給湯運転とを実行可能に構成されている。給湯制御装置７７は、切換設定条件が満たされていないときには蓄熱利用給湯運転を行い、切換設定条件が満たされると熱源水利用給湯運転を行うように構成されている。
切換設定条件は、例えば、Ｑ１＜Ｑ２＋α、又は、Ｔ１＜Ｔ２＋βの何れかが満たされることとしている。ここで、α及びβは、蓄熱利用給湯運転を行うに当たり給湯の要求に対して余裕を見込むためのものであり、一定値又は変動値とすることができる。Ｑ１は、最大蓄熱水給湯能力であり、例えば、Ｑ１＝（蓄熱水温度センサ５７の検出温度−給水温度）×蓄熱槽５４の最大循環流量（例えば１４リットル／ｍｉｎ）としている。Ｑ２は、要求給湯能力であり、例えば、Ｑ２＝（給湯要求温度−給水温度）×給湯要求流量としている。Ｔ１は、蓄熱水温度センサ５７の検出温度であり、Ｔ２は、給湯要求温度である。
【００３９】
蓄熱利用給湯運転では、給湯制御装置７７が、蓄熱水循環ポンプ５８を作動させるとともに、給湯制御弁６５を開作動させて、給湯用熱交換器５９に蓄熱水Ｎ４及び給湯用の水Ｎ５を供給する。これにより、給湯用の水Ｎ５を給湯用熱交換器５９に供給される蓄熱水Ｎ４にて加熱して温水とし、その温水を給湯路６４にて給湯する。このとき、給湯制御装置７７が、給湯路６４から給湯する温水温度が給湯要求温度となるように、給湯制御弁６５及び給湯用水制御弁６７の開閉作動を制御している。
熱源水利用給湯運転では、給湯制御装置７７が、熱源水バイパス制御弁７３を閉作動し且つ熱源水給湯制御弁７６を開作動させて、熱源水取り込み路７０にて取り込んだ熱源水Ｎ１を熱源水給湯路７４に供給し、その熱源水Ｎ１を熱源水給湯路７４から給湯路６４に供給して給湯する（図２中太線部分を参照）。このとき、給湯制御装置７７が、給湯路６４から給湯する温水温度が給湯要求温度となるように、熱源水給湯制御弁７６及び給湯用水制御弁６７の開閉作動を制御している。
【００４０】
給湯制御装置７７は、例えば、床暖房装置の作動開始が指令される等により熱消費端末６８から熱消費運転を要求されると、蓄熱水循環ポンプ５８を作動させるとともに、熱搬送流体循環路６９に備えられた図外の循環ポンプを作動させて、放熱用熱交換器６０に蓄熱水Ｎ４及び熱搬送流体Ｎ７を供給する。これにより、熱搬送流体Ｎ７を蓄熱水Ｎ４にて加熱し、その加熱された熱搬送流体Ｎ７を熱消費端末６８に戻して、熱消費端末６８にて熱搬送流体Ｎ７が有する熱を消費するようにしている。
【００４１】
〔熱源水供給システムの運転〕
図１に戻り、運転制御装置５０による運転について説明する。
運転制御装置５０は、熱源装置２にて加熱された熱源水Ｎ１を熱源水循環路４にて循環させる運転として、蓄熱式給湯装置５が取り込む熱源水温度が蓄熱用設定温度（例えば、６８℃）以上の高温加熱用設定温度（例えば、７０℃）となるように熱源装置２にて熱源水Ｎ１を加熱する高温加熱運転と、蓄熱式給湯装置５が取り込む熱源水温度が蓄熱用設定温度（例えば、６８℃）未満の低温加熱用設定温度（例えば、６４℃）となるように熱源装置２にて熱源水Ｎ１を加熱する低温加熱運転とに切換自在に構成されている。
【００４２】
〔高温加熱運転〕
図１及び図２に基づいて、高温加熱運転における動作について説明する。
運転制御装置５０は、熱源水循環路４における第２熱源水温度センサ２５の検出温度が高温用起動温度（例えば、６５℃）以下になると、熱供給装置６、冷却水循環ポンプ１５及び排熱搬送流体循環ポンプ２０を作動させて排熱熱交換器７での排熱搬送流体Ｎ２による熱源水Ｎ１の加熱を行えるようにするとともに、熱源水供給ポンプ２３及び熱源水循環ポンプ３２を作動させて熱源水循環路１０にて熱源水Ｎ１を循環させる。
そして、運転制御装置５０は、排熱搬送流体循環路９における入口温度センサ１８の検出温度が高温用入口温度（例えば、７２℃）になるように、排熱搬送流体制御弁１７の開閉作動を制御するとともに、出口温度センサ１９の検出温度が高温用出口温度（例えば、６７℃）になるように、熱源水制御弁３３の開閉作動を制御するように構成されている。これにより、排熱熱交換器７に対する入口温度が高温用入口温度（例えば、７２℃）に制御され且つ排熱熱交換器７からの出口温度が高温出口温度（例えば、６７℃）に制御され、排熱熱交換器７において排熱搬送流体Ｎ２にて熱源水Ｎ１を高温加熱用設定温度（例えば、７０℃）に加熱する。
【００４３】
ここで、排熱熱交換器７に供給する排熱搬送流体Ｎ２の入口温度及び排熱熱交換器７を通過した排熱搬送流体Ｎ２の出口温度を制御自在な出入口温度制御手段は、排熱搬送流体制御弁１７及び熱源水制御弁３３に相当する。このとき、運転制御装置５０は、第３熱源水温度センサ２９の検出温度が高温用設定範囲（例えば、５８℃〜６３℃）になるように、熱供給装置６の熱出力に応じた基準回転速度から増減する形態で熱源水供給ポンプ２３の回転速度を制御する。ここで、基準回転速度は、例えば、熱供給装置６がガスエンジンである場合に、発電出力が５ｋＷ、熱出力が１１ｋＷであると、１５リットル／ｍｉｎの流量が得られる回転数を基準回転速度とする。
【００４４】
図２に移り、高温加熱運転では、蓄熱式給湯装置５における取り込み熱源水温度センサ７５の検出温度が高温加熱用設定温度（例えば、７０℃）となる。蓄熱式給湯装置５では、給湯制御装置７７が蓄熱運転を行うために、取り込み熱源水温度センサ７５の検出温度が蓄熱用設定温度（例えば、６８℃）以上であることが必要である。よって、高温加熱運転では、蓄熱式給湯装置５が取り込む熱源水Ｎ１の温度条件として、蓄熱運転を行うための温度条件を満足するようにして、蓄熱運転の実行を促進している。これにより、蓄熱槽５４への蓄熱を積極的に行い、その蓄熱した熱を利用することによって、エネルギー効率の向上を図ることができる。
【００４５】
そして、蓄熱式給湯装置５にて蓄熱運転を行うことにより、蓄熱式給湯装置５から熱源水戻し炉７１にて熱源水循環路４に戻される熱源水温度は低下する。よって、複数の蓄熱式給湯装置５では、熱源水Ｎ１の流れ方向において熱源水循環路４の上流側に接続された蓄熱式給湯装置５から順次蓄熱運転が行われる。このようして、複数の蓄熱式給湯装置５について蓄熱槽５４への蓄熱が熱源水Ｎ１の流れ方向の上流側から順次行われる。
【００４６】
図１に戻り、全ての蓄熱式給湯装置５について蓄熱槽５４への蓄熱が終了すると、第３熱源水温度センサ２９の検出温度が上昇するので、運転制御装置５０は、熱源水供給ポンプ２３の回転速度を低下させて熱源水Ｎ１の循環量を低減させる。このとき、第４熱源水温度センサ３１の検出温度も上昇するので、運転制御装置５０は、出口温度センサ１９の検出温度が高温用出口温度（例えば、６７℃）になるように、熱源水制御弁３３を開作動させることになる。これにより、排熱熱交換器７を通過した熱源水Ｎ１の一部は、熱源水循環路４の往路４ａから分岐して熱源水タンク１の上部に供給される。それに伴って、熱源水タンク１の下部から熱源水１が熱源水循環路４の復路４ｂに払い出される。排熱熱交換器７を通過した熱源水Ｎ１は、高温加熱用設定温度（例えば、７０℃）に加熱されているので、上部から高温加熱用設定温度の熱源水Ｎ１が供給され、下部から低温の熱源水Ｎ１が払い出されることになり、熱源水タンク１への蓄熱を行う。
熱源水タンク１への蓄熱が終了すると、第４熱源水温度センサ３１の検出温度が上昇する。そこで、運転制御装置５０は、第４熱源水温度センサ３１の検出温度が高温用作動停止温度（例えば、６８℃）以上となると、熱供給装置６、冷却水循環ポンプ１５及び排熱搬送流体循環ポンプ２０を作動停止させるとともに、熱源水供給ポンプ２３及び熱源水循環ポンプ３２を作動停止させる。
【００４７】
蓄熱式給湯装置５では、給湯栓が開操作される等により給湯が要求されると給湯運転を行う。このとき、給湯制御装置７７は、切換設定条件が満たされていないときには蓄熱利用給湯運転を行い、切換設定条件が満たされると熱源水利用給湯運転を行う。
蓄熱槽５４に十分な熱量が蓄熱されていれば、切換設定条件が満たされていないので、給湯制御装置７７が蓄熱利用給湯運転を行う。蓄熱槽５４の蓄熱量が低下していると、切換設定条件が満たされて、給湯制御装置７７が熱源水利用給湯運転を行うことになる。熱源水利用給湯運転では、熱源水循環路４の熱源水Ｎ１が給湯されるので、熱源水タンク１に貯留されている熱源水Ｎ１が熱源水タンク１の上部から熱源水循環路４の往路４ａに供給される。それに伴い、運転制御装置５０は、給水ポンプ３９を作動させて、給水タンク３７から熱源水タンク１の下部に熱源水Ｎ１を給水する。これにより、熱源水タンク１に貯留されていた熱源水Ｎ１が新しい熱源水Ｎ１に入れ替わる。そして、例えば、熱源水タンク１の熱源水Ｎ１の入れ替えを１日に１回程度行うことにより、雑菌（例えば、レジオネラ菌）の繁殖を防止できる。
【００４８】
給水タンク３７から熱源水タンク１に熱源水Ｎ１を給水しているときに、運転制御装置５０は、給水量センサ４１の検出流量が作動開始用流量（例えば、４リットル／ｍｉｎ）以上となると、分岐給水ポンプ４３及びヒートポンプ装置４４を作動させて、凝縮器４６において冷媒にて熱源水Ｎ１を加熱するように構成されている。これにより、熱源水Ｎ１を加熱できながら、熱源水タンク１への熱源水Ｎ１の給水を維持して、熱源水タンク１の熱源水Ｎ１は入れ替わる。しかも、凝縮器４６に供給される熱源水Ｎ１は給水タンク３７に貯留されていた低温の熱源水Ｎ１であるので、ヒートポンプ装置４４を高い成績係数（ＣＯＰ）で作動させることができる。
運転制御装置５０は、給水量センサ４１の検出流量が作動開始用流量よりも少ない作動停止用流量（例えば、２リットル／ｍｉｎ）になると、分岐給水ポンプ４３及びヒートポンプ装置４４を作動停止させる。
【００４９】
高温加熱運転では、複数の蓄熱式給湯装置５の熱負荷が小さいと、熱源装置２にて加熱した熱源水Ｎ１が有する熱を用いてその熱負荷を賄い、それでも熱負荷を賄えなくなると、熱源水タンク１の熱源水Ｎ１が有する熱、及び、ヒートポンプ装置４４から得られる熱を用いてその熱負荷を賄うようにしている。しかしながら、例えば、冬季の夕方等では、複数の蓄熱式給湯装置の熱負荷が大きくなるので、その熱負荷を賄えなくなり、蓄熱式給湯装置５が取り込む熱源水温度が高温加熱用設定温度（例えば、７０℃）以下となる可能性がある。そこで、運転制御装置５０は、蓄熱式給湯装置５が取り込む熱源水温度が設定下限温度（例えば、５５℃）以下となる前に補助加熱装置３４を作動させて、補助加熱装置３４にて発生する熱を用いてその熱負荷を賄うようにしている。
【００５０】
つまり、上部温度センサ５１の検出温度が上部作動開始温度（例えば、５５℃）未満、中間部温度センサ５２の検出温度が中間部作動開始温度（例えば、５０℃）未満、又は、下部温度センサ５３の検出温度が下部作動開始温度（例えば、２０℃）未満の何れかの条件が満たされると、熱源水タンク１の蓄熱量が低下しており、その後、蓄熱式給湯装置５が取り込む熱源水温度が高温加熱用設定温度（例えば、７０℃）以下となる可能性がある。そこで、運転制御装置５０は、上述の何れかの条件が満たされると、通流制御弁３６を開作動させ且つ補助加熱装置３４を作動させる。このとき、運転制御装置５０は、補助加熱装置３４を通過した熱源水温度が高温用入口温度（例えば、７２℃）となるように補助加熱装置３４を作動させる。
【００５１】
このようにして、運転制御装置５０は、蓄熱式給湯装置５の熱負荷が小さいときには、補助加熱装置３４よりも熱源装置２及びヒートポンプ装置４４を優先して作動させ、蓄熱式給湯装置５の熱負荷が大きいときには、蓄熱式給湯装置５が取り込む熱源水温度が設定下限温度（例えば、５５℃）以下となる前に補助加熱装置３４を作動させるように構成されている。
運転制御装置５０は、上部温度センサ５１の検出温度が上部作動停止温度（例えば、６３℃）以上、中間部温度センサ５２の検出温度が中間部作動停止温度（例えば、６３℃）以上、及び、下部温度センサ５３の検出温度が下部作動停止温度（例えば、６０℃）以上の全ての条件が満たされると、通流制御弁３６を閉作動させ且つ補助加熱装置３４を作動停止させる。運転制御装置５０は、熱供給装置６がトラブルや点検等により停止した場合に、補助加熱装置３４の作動及び作動停止に合わせて、熱源水供給ポンプ２３及び熱源水循環ポンプ３２を作動及び作動停止させるように構成されている。これにより、補助加熱装置３４の作動停止中に熱源水Ｎ１が供給されるのを防止して、補助加熱装置３４での放熱を抑制するようにしている。
【００５２】
〔低温加熱運転〕
図１及び図２に基づいて、低温加熱運転における動作について説明する。
運転制御装置５０は、第２熱源水温度センサ２５の検出温度が低温用起動温度（例えば、５９℃）以下になると、熱供給装置６、冷却水循環ポンプ１５及び排熱搬送流体循環ポンプ２０を作動させて排熱熱交換器７での排熱搬送流体Ｎ２による熱源水Ｎ１の加熱を行えるようにするとともに、熱源水供給ポンプ２３及び熱源水循環ポンプ３２を作動させて熱源水循環路１０にて熱源水Ｎ１を循環させる。
そして、運転制御装置５０は、入口温度センサ１８の検出温度が低温用入口温度（例えば、６５℃）になるように、排熱搬送流体制御弁１７の開閉作動を制御するとともに、出口温度センサ１９の検出温度が低温用出口温度（例えば、６０℃）になるように、熱源水制御弁３３の開閉作動を制御するように構成されている。これにより、排熱熱交換器７に対する入口温度が低温用入口温度（例えば、６５℃）に制御され且つ排熱熱交換器７からの出口温度が低温用出口温度（例えば、６０℃）に制御され、排熱熱交換器７において排熱搬送流体Ｎ２にて熱源水Ｎ１を低温加熱用設定温度（例えば、６４℃）に加熱する。このとき、運転制御装置５０は、第３熱源水温度センサ２９の検出温度が低温用設定範囲（例えば、５６℃〜６１℃）になるように、熱供給装置６の熱出力に応じた基準回転速度から増減する形態で熱源水供給ポンプ２３の回転速度を制御する。
【００５３】
低温加熱運転では、蓄熱式給湯装置５における取り込み熱源水温度センサ７５の検出温度が低温加熱用設定温度（例えば、６４℃）となる。よって、低温加熱運転では、蓄熱式給湯装置５が取り込む熱源水Ｎ１の温度条件として、蓄熱運転を行うための温度条件を満足せず、蓄熱運転の実行を抑制するようにしている。これにより、蓄熱式給湯装置５では、あらたに蓄熱槽５４に蓄熱されることがなく、給湯運転として、蓄熱利用給湯運転だけでなく、熱源水利用給湯運転をも積極的に行えるようにしている。このようにして、熱源水利用給湯運転を行うことによって、熱源水タンク１の熱源水Ｎ１を積極的に入れ替えるようにして、雑菌（例えば、レジオネラ菌）の繁殖を防止している。
【００５４】
低温加熱運転におけるヒートポンプ装置４４及び補助加熱装置３４の作動については、上記高温加熱運転と同様であるので、説明は省略する。但し、低温加熱運転では、補助加熱装置３４を作動させるときに、運転制御装置５０は、補助加熱装置３４を通過した熱源水温度が低温用入口温度（例えば、６５℃）となるように補助加熱装置３４を作動させる。
【００５５】
〔高温加熱運転と低温加熱運転との切換〕
運転制御装置５０は、給水温度センサ４０の検出温度が設定給水温度（例えば、２０℃）未満であると高温加熱運転を行い、給水温度センサ４０の検出温度が設定給水温度（例えば、２０℃）以上であると低温加熱運転を行うように構成されている。給水温度センサ４０の検出温度が設定給水温度（例えば、２０℃）未満であると、例えば冬期であると判断できる。冬期には、蓄熱式給湯装置５の熱負荷が大きくなるので、蓄熱槽５４に蓄熱した熱の使用量が多くなる。これにより、給湯運転として、蓄熱利用給湯運転が行われるだけでなく、熱源水利用給湯運転も行われることになる。そこで、運転制御装置５０は、高温加熱運転を行うことによって、各蓄熱式給湯装置５における蓄熱槽５４への蓄熱を積極的に行い大きな熱負荷に対応しながら、熱源水タンク１の熱源水Ｎ１の入れ替えを行って雑菌の繁殖を防止するようにしている。逆に、給水温度センサ４０の検出温度が設定給水温度（例えば、２０℃）以上であると、例えば夏期であると判断できる。夏期には、各蓄熱式給湯装置５の熱負荷が小さくなるので、蓄熱槽５４に蓄熱した熱の使用量が少なくなる。これにより、給湯運転として、蓄熱利用給湯運転が行われるだけとなる可能性がある。そこで、運転制御装置５０は、低温加熱運転を行うことによって、蓄熱式給湯装置５における蓄熱槽５４への蓄熱を抑制して熱源水利用給湯運転の実行を促進する。そして、熱源水利用給湯運転が行われることによって、熱源水タンク１の熱源水Ｎ１の入れ替えを行って雑菌の繁殖を防止するようにしている。このとき、例えば、１日に１回程度、熱源水タンク１の熱源水Ｎ１が入れ替わる。
【００５６】
夏期のある１日において、図３に示す高温加熱運転を行った場合と、図４に示す低温加熱運転を行った場合とで、熱源水タンク１の熱源水が入れ替わるか否かについて説明する。
図３、図４（ａ）では、夏期のある１日における熱負荷及びその熱負荷の積算を示している。図３、図４（ｂ）は、図３、図４（ａ）の熱負荷であったときに、熱源水を給湯に利用した流量（熱源水利用流量）及びその熱源水利用流量の積算を示している。ちなみに、図３と図４とは、１日の熱負荷の積算量が同じような値となる日を選択している。
【００５７】
図３に示す高温加熱運転を行った場合には、蓄熱槽５４に蓄熱した熱にて熱負荷の大部分を賄うことができ、給湯運転として熱源水利用給湯運転がなかなか行われず、熱源水利用流量が少なくなる。したがって、図３（ｂ）に示すように、その１日における熱源水利用積算流量は約３リットルとなっており、例えば、熱源水タンク１の容量を３００リットルとしているので、熱源水タンク１の熱源水は入れ替わらない。
それに対して、図４に示す低温加熱運転を行った場合には、蓄熱槽５４に蓄熱した熱にて熱負荷を賄うことができず、給湯運転として熱源水利用給湯運転が積極的に行われ、熱源水利用流量が多くなる。したがって、図４（ｂ）に示すように、その１日における熱源水利用積算流量は３００リットル以上となっており、熱源水タンク１の熱源水は入れ替わる。よって、低温加熱運転を行うことにより、夏期であっても、１日に１回程度、熱源水タンク１の熱源水Ｎ１が入れ替わる。
【００５８】
また、運転制御装置５０は、熱源水タンク１に給水される熱源水Ｎ１の設定周期での給水積算量が設定積算量よりも少ないときに、低温加熱運転を行うように構成されている。つまり、運転制御装置５０は、給水量センサ４１の検出流量を積算しており、設定周期（例えば、１日）での積算量が設定積算量（例えば、熱源水タンク１の容量の１．５倍）よりも少なくなると、熱源水タンク１の熱源水Ｎ１の入れ替えが行われていないとして、低温加熱運転を行う。これにより、設定周期（例えば、１日）に熱源水タンク１の熱源水Ｎ１の入れ替えが行われていないときであっても、熱源水タンク１の熱源水Ｎ１の入れ替えを行い、雑菌の繁殖を確実に防止するようにしている。
【００５９】
〔別実施形態〕
（１）上記実施形態では、熱源装置２が、排熱搬送流体Ｎ２と熱源水Ｎ１とを熱交換させる排熱熱交換器７を備え、その排熱熱交換器７にて熱源水Ｎ１を加熱するようにしているが、熱源装置２がどのようにして熱源水Ｎ１を加熱するかは適宜変更が可能である。
【００６０】
（２）上記実施形態において、運転制御装置５０が高温加熱運転と低温加熱運転とをどのような条件によって切り換えるかは適宜変更が可能である。
例えば、運転制御装置５０は、基本的には高温加熱運転を行い、その高温加熱運転の運転時間が設定時間（例えば、２４時間）に達すると、低温加熱運転に切り換える。この場合、熱源水タンク１への積算給水量から熱源水タンク１の熱源水Ｎ１が入れ替わったことを検出すると、高温加熱運転に復帰させる。
また、給水積算量が設定積算量よりも少なくなったときが設定周期のどのタイミングであるかによって、設定周期の周期長さを変更することもできる。
【００６１】
（３）上記実施形態では、運転制御装置５０が、上部温度センサ５１、中間部温度センサ５２、下部温度センサ５３の夫々の検出温度に基づいて、補助加熱装置３４を作動又は作動停止させるようにしているが、例えば、第２蓄熱水温度センサ２５の検出温度に基づいて、補助加熱装置３４を作動又は作動停止させることもできる。
【産業上の利用可能性】
【００６２】
本発明は、熱源装置にて加熱された熱源水を循環させる熱源水循環路と、熱源水循環路に接続されて、給湯運転及び熱源水循環路から取り込んだ熱源水が有する熱を蓄熱槽に蓄熱する蓄熱運転を実行可能な蓄熱式給湯装置の複数とを設け、熱源水タンクでの雑菌の繁殖を防止できながら、エネルギー効率の向上を図ることを目的とする各種の熱源水供給システムに適応可能である。
【図面の簡単な説明】
【００６３】
【図１】熱源水供給システムの全体構成図
【図２】蓄熱式給湯装置の構成図
【図３】夏期において高温加熱運転を行った場合の熱負荷及び熱源水利用流量を示すグラフ
【図４】夏期において低温加熱運転を行った場合の熱負荷及び熱源水利用流量を示すグラフ
【符号の説明】
【００６４】
１          熱源水タンク
２          熱源装置
３          給水手段
４          熱源水循環路
５          蓄熱式給湯装置
７          排熱熱交換器
３４        補助加熱装置
４４        ヒートポンプ装置
４６        凝縮器
５０        運転制御手段（運転制御装置）
１７，３３  出入口温度制御手段（排熱搬送流体制御弁、熱源水制御弁）
Ｎ１        熱源水
Ｎ２        排熱搬送流体
【図１】
0004934009.tif 000002
【図２】
0004934009.tif 000003
【図３】
0004934009.tif 000004
【図４】
0004934009.tif 000005